(57)【要約】      （修正有）【課題】巻ぐせのある表示物でも簡便に所定の位置に取付けられ、押え部材の操作に大きな力を必要としない作業性の良いポスターパネルを提供する。【解決手段】ポスターパネルにおいて、本背面板の各辺に取付けられるとともに端部がコーナー部材２０に固設される基部材１１と、基部材１１の全長にわたって取付けられた回動可能な押え部材１２と、両端部が基部材１１と押え部材１２にそれぞれ係止された板バネ１３とから構成する。さらに、最上部の水平に位置する基部材１１の前面部の少なくとも左右２個所には、表示物を仮止めするための押えバネ１５を設ける。【選択図】図１
0003155555.tif 000002
【実用新案登録請求の範囲】
【請求項１】
背面板の四辺に、バネで付勢された押え部材を備えた枠部材を取付け、表示物を該押え部材で前面から保持するようにした額縁状のポスターパネルにおいて、該枠部材は、背面板の辺に取付けられるとともに端部がコーナー部材に固設される基部材と、該基部材の全長にわたって取付けられた回動可能な押え部材と、両端部が該基部材と該押え部材にそれぞれ係止された板バネとからなり、さらに、少なくとも上の水平な基部材の前面部の左右２個所に、表示物を仮止めするための押えバネが設けられていることを特徴とするポスターパネル。
【請求項２】
前記枠部材の押え部材には、回動軸部１２ａが立設されるとともに、板バネの一端を係止するバネ受け溝１２ｅが設けられ、一方、基部材には、厚みを有する半円弧状に形成された回動軸受部１１ａが外側部に設けられるとともに、該回動軸受部１１ａの背面に、押え部材を起こした位置と閉じた位置で該板バネの他端側が当接される平らなバネ受部１１ｂ、１１ｃが設けられていることを特徴とする請求項１記載のポスターパネル。
【考案の詳細な説明】
【技術分野】
【０００１】
本考案は大きな表示物でも簡便に取り替えができるようにしたポスターパネルに関するものである。
【０００２】
近年表示物の掲示には、剥がれたり汚れたりせず、取り替えが簡便である額縁状のパネル（以下、ポスターパネルと称する）が多く使用されている。
このポスターパネルは、背面板の四辺に、バネで付勢された押え部材を備えた枠部材が取付けられており、表示物を前面からアクリル板を介して押え部材で保持するようにしている。
【０００３】
この枠部材は、詳細を図７に示すように、一端側に回動軸部３１ａが形成された基部材３１と、回動軸部３１ａが嵌合する回動軸受部３２ａを一端側に備えた押え部材３２とからなり、基部材３１の回動軸部３１ａの裏側と押え部材３２の他端側の内側にそれぞれバネ受部３１ｂ、３２ｂを設けて板バネ３３が装着されている。
このように構成されたポスターパネルは、押え部材３２を開閉するときに、板バネ３３の端縁部が、バネ受部３１ｂの面を引っ掻くように図７（ａ）の状態と（ｂ）の状態とに摺動するので、かなり耳障りな音が出るという問題がある。そこで、板バネの端縁部を曲面としたものが提案されている（例えば、特許文献１参照）。
【先行技術文献】
【特許文献】
【０００４】
【特許文献１】実用新案登録第３０７７８７３号公報
【考案の概要】
【考案が解決しようとする課題】
【０００５】
ポスターパネルは、壁などに縦に取付けられ、四辺の押え部材を開閉することで、表示物を取り替えることができるが、ポスターパネルが大きな（Ａ１サイズ以上）場合には、この作業は簡単とはいえない。
すなわち、ポスターパネルは、表示物を替える場合は、まず、表示物を背面板に所定の位置に配置して、手で押えながらアクリル板で被うが、表示物は筒状の巻き癖がついている場合が多く、例えば、この作業を２人で行うにしても、所定の位置に配置するのが難しく、また、アクリル板で被う際に位置がずれやすい。
【０００６】
次に、押え部材を閉鎖させて保持するが、ポスターパネルが大きい場合は、板バネも強いものが組み込まれているので、閉鎖させるのに、かなりの力を必要とし、このときにもずれてしまうことが少なくない。ずれた場合には、四方の枠部材の押え部材を起こさなければならないが、この場合にもかなりの力を必要としている。また、押え部材の開閉時の摺動音は特許文献１では板バネの端縁部を曲面にすることによって、なくするようにしているが、この加工は簡単ではなく費用が嵩むという欠点がある。
【０００７】
そこで、本考案は、巻ぐせのある表示物でも簡便に所定の位置に取付けられ、押え部材の操作に大きな力を必要としない作業性の良いポスターパネルを提供することを目的としている。
【課題を解決するための手段】
【０００８】
上記の目的を解決するため、本考案のポスターパネルは、次のように構成した。すなわち、背面板の四辺に、バネで付勢された押え部材を備えた枠部材を取付け、表示物を該押え部材で前面から保持するようにした額縁状のポスターパネルにおいて、該枠部材は、背面板の辺に取付けられるとともに端部がコーナー部材に固設される基部材と、該基部材の全長にわたって取付けられた回動可能な押え部材と、両端部が該基部材と該押え部材にそれぞれ係止された板バネとからなり、さらに、少なくとも上の水平な基部材の前面部の左右２個所に、表示物を仮止めするための押えバネが設けられていることを特徴としている。
【０００９】
背面板は、ＬＥＤ基板を備えたアクリル板としてバックライトを備えたものとしてもよい。
押え部材の回動手段は、基部材と押え部材のいずれかに軸部材を設けるとともに他方に軸受を設け、板バネを両者に係止させたものとしてもよいが、請求項２に記載のように、
枠部材の押え部材に、回動軸部１２ａを立設するとともに、板バネの一端を係止するバネ受け溝１２ｅを設け、基部材に、厚みを有する半円弧状に形成された回動軸受部１１ａを外側部に設けるとともに、該回動軸受部１１ａの背面に、押え部材を起こした位置と閉じた位置で該板バネの他端側が当接する平らなバネ受部１１ｂ、１１ｃを設けたものとするのが、望ましい。
【００１０】
表示物を仮止めするための押えバネは、基部材に取付けられ、押え部材を起こしたときに使用できるものとし、押え部材が閉じたときには、押え部材によって覆われるようにする。この押えバネは、ポスターパネルの大きさによって幅が８〜１５ｍｍの適宜なものとすればよく、少なくとも上の水平な基部材の左右２個所に設ける。ポスターパネルが大きい場合には３個以上としたり、左右の縦の基部材にも設けるようにしてもよい。なお、押えバネの形状については、特に限定しない。狭いスペースに取付けられるので、コンパクトで製作が簡単にできるものがよい。
【考案の効果】
【００１１】
本考案のポスターパネルは、枠部材は、端部をコーナー部材に固設した基部材と、基部材に取付けた回動可能な押え部材と、両端部が基部材と押え部材にそれぞれ係止された板バネとからなり、さらに、上の水平な基部材の前面部の少なくとも左右２個所に、表示物を仮止めするための押えバネを設けたので、表示物に巻ぐせがついていても、背面板の上部に表示物の最上部の２個所を簡便に仮止めできるので、表示物を所定の位置に配置することが簡単にできる。
【００１２】
また、請求項２に記載のように、枠部材の押え部材に、回動軸部１２ａを立設するとともに、板バネの一端を係止するバネ受け溝１２ｅを設け、基部材に、厚みを有する半円弧状の回動軸受部１１ａを設けるとともに、回動軸受部１１ａの背面に、板バネの他端側が当接される平らなバネ受部１１ｂ、１１ｃを設けたので、板バネに無理な力が作用せず、押え部材の開閉にも大きな力を必要とせず、耳障りな音がでることもなく、しかも、全体をコンパクトにできる。
【図面の簡単な説明】
【００１３】
【図１】（ａ）は、本考案のポスターパネルの実施の形態を示す斜視図で、（ｂ）は、右上コーナーにおける断面図で、（ｃ）は、最上部の水平な基部材に設けた表示物仮止め手段を示す斜視図である。
【図２】同、右上コーナーの周辺の詳細を示す斜視図である。
【図３】同、図１（ｂ）の詳細を示す断面図である。
【図４】同、押え部材が回動途中の位置における状態を示す断面図である。
【図５】同、押え部材が閉じた状態を示す断面図である。
【図６】同、図１（ｃ）の表示物仮止め手段の詳細を示す斜視図である。
【図７】（ａ）は、従来のポスターパネルの枠部材を示す断面図で、押え部材が閉じている状態を示す。（ｂ）は、押え部材を開放したときの板バネ端部の状態を示す。
【考案を実施するための形態】
【００１４】
本考案のポスターパネルの実施の形態を図面に基づいて説明する。
図１は、枠部材１０をコーナー部材２０に固設して額縁状に形成した状態の斜視図を示しており、同図（ｂ）は、右上コーナーにおける断面図である。また、同図（ｃ）は、水平な上の枠部材１０に設けた表示物の仮止め手段を示す斜視図である。なお、ポスターパネルは、図１に示す状態に、背面板などが取付けられて構成される。
【００１５】
枠部材１０は、図１（ｂ）に示すように、アルミ材からなる基部材１１と押え部材１２と、板バネ１３とから構成されている。
基部材１１は、図３に示すように、背面板２２を嵌合するコ字状の背面板嵌合部１１ｅを備え、その外側（コ字状の背面）に、押え部材１２の回動軸部１２ａを回動可能に支持する回動軸受部１１ａを備えている。この回動軸受部１１ａを形成する部材は、断面が所定の厚みを有する半円弧状に形成され、その背面部には、板バネ１３の他端側が当接する平坦なバネ受部１１ｂ、１１ｃが形成されている。バネ受部１１ｂとバネ受部１１ｃとは凸部１１ｄを介して略直角方向に位置するように形成されている。そして、板バネ１３は、押え部材１２が起こされているときにはバネ受部１１ｂに、閉じているときにはバネ受部１１ｃに当接する（図３および図５参照）。
【００１６】
背面板嵌合部１１ｅには、反射板としてのアルミ板からなる裏板２５と、その前面にバックライト機能を備えたアクリル板からなる背面板２２が取付けられている。
背面板２２の端部には、断面コ字状の縁材２３が取付けられており、ここにＬＥＤ基板２４が装着されている。
【００１７】
表示物２６は、この背面板２２に配置して、その前面にアクリル板２７で覆った状態で押え部材１２によって挟持される（図３参照）。
押え部材１２は、先端側に表示物２６を押えるための保持部１２ｂを備え、後部には、立部材１２ｄが立設され、この先端を略直角に曲げて回動軸部１２ａを形成している。そして、立部材１２ｄの背部には板バネ１３の一端を係止するバネ受溝部１２ｅが形成されている。なお、１２ｃは、押え部材１２を起こす場合に指をかけるための凹部である。
また、押え部材１２の後部と、基部材１１の回動軸受部１１ａの後方には板バネ１３を被うようにカバーが付設されている。
【００１８】
板バネ１３は、ここでは幅が６０ｍｍのものを使用し、その一端は押え部材１２のバネ受溝部１２ｅに係止し、他端側を、基部材１１のバネ受部１１ｂ、１１ｃに湾曲した状態（付勢させた状態）で当接させている。
図３は、押え部材１２を起こした状態を示しており、板バネ１３の他端側はバネ受部１１ｂに当接している。バネ受部１１ｂは略平坦であるので、押え部材１２はこの状態に保持される。
【００１９】
そして、押え部材１２を閉じる過程では、図４に示すように、板バネ１３の他端側は、バネ受部１１ｂから離れ、凸部１１ｄに当接し、摺動する。なお、図４では、背面板２２やアクリル板２７は記載を省略している。
押え部材１２が閉じられた位置では、図５に示すように、板バネ１３の他端側はバネ受部１１ｃに当接する。このとき、押え部材１２の保持部１２ｂが表示物２６上のアクリル板２７を押し付けて保持する。
このように、板バネ１３は、他端は拘束されていないので押え部材１２の開閉に伴って
凸部１１ｄ上を摺動するが、このときの摺動音は小さなものであり、従来のもののように、引っ掻くような、耳障りな音がでることはない。また、板バネ１３を大きく撓ませないので、押え部材１２は大きな力を必要とせずに開閉できる。
【００２０】
コーナー部材２０は、合成樹脂製で矩形状に形成され、図２に示すように、側面には基部材１１の上部材１１ｆに嵌合連結される連結部２０ａを一体に備えている。
上部材１１ｆには嵌合溝１１ｇが設けられており、連結部２０ａに設けられた案内部を嵌合させている。そして、取付ネジ２１によって連結部２０ａと上部材１１ｆが固設されている。
【００２１】
続いて、図１（ｃ）の表示物の仮止め手段について詳細を示す図６で説明する。
この手段は、上側の水平な枠部材１０の基部材１１に設けられている。なお、図１では、１個所のみ記載しているが、左右２個所に設けられている。
この手段は、押えバネ１５を止めネジ１６で取付けたものである。押えバネ１５は、ここでは幅が１０ｍｍで、下部に表示物２６を押えるためのＵ字状の押え部を形成させたものを用いている。これの使い方は、押え部を掴んで手前側へ引き、表示物を置いて離すだけである。
【００２２】
次に、このポスターパネルにおける表示物の交換作業について説明する。
まず、このポスターパネルでは、表示物２６を背面板２２とアクリル板２７で挟んで押え部材１２で押えて保持している。そして、背面板２２に備えたＬＥＤ２４に通電することによりバックライトを作動できる。
掲示されている標示物２６を取り出すときは、まず、ポスターパネルの四辺の押え部材１２を上方へ起こす。これにより、アクリル板２７と表示物２６は、押えバネ１５によって、上部の２点で支持された状態となる。ここで、アクリル板２７と表示物２６を持って下方へ引けば、簡単に取り出すことができる。
【００２３】
次に、交換する表示物２６を持って、その上端部を上の水平な基部材１１に設けた押えバネ１５を操作して仮止めする。そして、掌で下方へなぞり、表示物２６の巻ぐせを伸ばしながら表示物２６が所定の位置になるように、先に操作した押えバネ１５を再操作して押え直す。仮止めは、上部の２点のみであるので、簡単に押え直しができ、表示物２６を簡単に正しい位置へ配置することができる。
継いで、アクリル板２７を、これに被せて置く。アクリル板２７は厚みがあるので、表示物２６の場合と異なり、簡単に位置決めできる。位置決めしたら、アクリル板２７も、押えバネ１５で仮止めする。
全体を見て、表示物２６およびアクリル板２７が所定の位置であることを確認したら、押え部材１２を順次閉じればよい。表示物２６およびアクリル板２７が所定の位置に仮止めされているので、押え部材１２の操作によって、位置ズレが生じることがなく、また、板バネ１３によって耳障りな音が発生することもない。
【符号の説明】
【００２４】
１０  枠部材
１１  基部材
１１ａ  回動軸受部
１１ｂ  バネ受部
１１ｃ  バネ受部
１１ｄ  凸部
１１ｅ  背面板嵌合部
１１ｆ  上部材
１１ｇ  嵌合溝
１２  押え部材
１２ａ  回動軸部
１２ｂ  保持部
１２ｃ  凹部
１２ｄ  立部材
１２ｅ  バネ受溝
１３  板バネ
１５  押えバネ
１６  止めネジ
２０  コーナー部材
２０ａ  連結部
２１  取付ネジ
２２  背面板
２３  縁材
２４  ＬＥＤ基板
２５  裏板
２６  表示物
２７  アクリル板
３１  基部材
３１ａ  回動軸部
３１ｂ  バネ受部
３２ａ  回動軸受部
３２ｂ  バネ受部
３３  板バネ
３４  アクリル板
３５  背面板
【図１】
0003155555.tif 000003
【図２】
0003155555.tif 000004
【図３】
0003155555.tif 000005
【図４】
0003155555.tif 000006
【図５】
0003155555.tif 000007
【図６】
0003155555.tif 000008
【図７】
0003155555.tif 000009